(57)【要約】【課題】  低コストで、きれいな写真シールを提供できるようにする。【解決手段】  撮影空間２１において、筐体１１に向かって立つユーザ２０の左側に照射板１４１が設けられ、右側に横方向照明装置１２１が設けられる。反射板１４１は、横方向照明装置１２１が照射する光を反射してユーザ２０を斜め左前方から照らす。さらに、反射板１４１に設けられたミラーが撮影空間２１の入り口付近を写し、外からのぞかれることを抑止する。本発明は、写真シール販売装置に適用することができる。【選択図】図３
2005300870.tif 000002
【特許請求の範囲】
【請求項１】
撮影空間の前方に配置される筐体に、前記撮影空間にある被写体を撮影する撮影手段と、前記撮影手段により撮影された画像を表示する表示手段とが設けられた写真シール販売装置において、
前記撮影手段の左右のいずれか一方の側に設けられ、光を照射する照明手段と、
前記撮影手段を挟んで、前記照明手段と反対側に設けられ、光を反射する反射板とを備え、
前記反射板は、その取り付け角度が、前記照明手段が照射する光を前記撮影手段の後方に反射するように設定されている
ことを特徴とする写真シール販売装置。
【請求項２】
前記撮影手段の上側に設けられた鏡板と、
前記鏡板の上側に設けられたストロボ光源とをさらに備え、
前記鏡板は、その取り付け角度が、前記ストロボ光源が照射する光を前記撮影手段の後方に反射するように設定されている
ことを特徴とする請求項１に記載の写真シール販売装置。
【請求項３】
前記ストロボ光源と前記鏡板との間に設けられた黒色板をさらに備える
ことを特徴とする請求項２に記載の写真シール販売装置。
【発明の詳細な説明】
【技術分野】
【０００１】
本発明は、写真シール販売装置に関し、特に、ユーザにとって快適な撮影空間と、きれいな写真シールを提供できるようにする写真シール販売装置に関する。
【背景技術】
【０００２】
従来、ユーザの画像を撮影し、これを予め用意されたフレーム画像と合成してシール紙などに印刷して提供する写真シール販売装置（例えば、プリントクラブ（商標））が知られている。そして、この写真シール販売装置には、ユーザは、撮影した画像上に付属のペンで任意の文字や図形などを書き込む（編集する）ことができるようになされているものも存在する。
【０００３】
この種の写真シール販売装置にあっては、ユーザは、写真シール販売装置の正面に構成される撮影空間において好みのポーズをとって撮影を行うことになる。そして、写真シール販売装置には、撮影時に作動されるストロボや、ストロボで発光された照射光を撮影空間に向けて反射させる反射板が設けられるのが一般的である。
【０００４】
また、ユーザの背景として、ロール状に巻かれた複数種類のスクリーンを配置し、ユーザによって選択された撮影モードに基づいて、複数種類のスクリーンを切り換えることも提案されている（例えば、特許文献１参照）。
【０００５】
【特許文献１】特許第３１０９５０７号公報
【発明の開示】
【発明が解決しようとする課題】
【０００６】
ところで、良好な画像を得るため、ストロボで発光された照射光を、撮影空間の広い範囲に渡って極力均一な平行光線とすることが好ましいものとなる。撮影空間を広い範囲に渡って照らす照射光を提供するためには、ストロボなどの照明装置を、写真シール販売装置の内部に多数設置する必要があるが、多数の照明装置を設置すると、写真シール販売装置の構造が複雑になり製造コストが高くなるとともに、消費電力が増えて維持コストが高くなるという課題があった。
【０００７】
さらに、写真シール販売装置においては、ユーザにとって撮影空間を快適なものとし、ユーザをいかにきれいに撮影するかということが重要となるが、ゲームセンターなどの限られた空間に設置される写真シール販売装置の周辺には、常に人の往来があり、撮影中のユーザは、他人にのぞかれていないかなど、周囲の状況が気になってしまい、その結果、ユーザの自然な表情やポーズを撮影しづらいという課題があった。
【０００８】
本発明はこのような状況に鑑みてなされたものであり、ユーザにとって快適な撮影空間と、きれいな写真シールを提供できるようにするものである。
【課題を解決するための手段】
【０００９】
本発明を適用した写真シール販売装置は、撮影空間の前方に配置される筐体に、撮影空間にある被写体を撮影する撮影手段と、撮影手段により撮影された画像を表示する表示手段とが設けられた写真シール販売装置において、撮影手段の左右のいずれか一方の側に設けられ、光を照射する照明手段と、撮影手段を挟んで、照明手段と反対側に設けられ、光を反射する反射板とを備え、反射板は、その取り付け角度が、照明手段が照射する光を撮影手段の後方に反射するように設定されていることを特徴とする。
【００１０】
本発明の写真シール販売装置においては、撮影手段の左右のいずれか一方の側に光を照射する照明手段が設けられ、撮影手段を挟んで、照明手段の反対側に光を反射する反射板が設けられ、反射板は、その取り付け角度が、照明手段が照射する光を、撮影手段の後方に反射するように設定されている。
【００１１】
したがって、照明装置の数を少なくしてコストを抑制するとともに、被写体となるユーザに充分な光を照射してきれいな画像を撮影することができる。
【００１２】
前記撮影手段の上側に設けられた鏡板と、鏡板の上側に設けられたストロボ光源とをさらに備え、鏡板は、その取り付け角度が、ストロボ光源が照射する光を撮影手段の後方に反射するように設定されているようにすることができる。
【００１３】
したがって、少ない照明装置で、被写体となるユーザをさらに明るく照らすことができる。
【００１４】
前記ストロボ光源と鏡板との間に設けられた黒色板をさらに備えるようにすることができる。
【００１５】
したがって、撮影された画像において、ユーザの目が光に反射するアイキャッチ効果を得るとともに、上下の２点で目が光るきれいなアイキャッチ効果を得ることができる。
【発明の効果】
【００１６】
本発明によれば、写真シールを提供することができる。特に、ユーザにとって快適な撮影空間と、きれいな写真シールを提供できる。
【発明を実施するための最良の形態】
【００１７】
以下、図面を参照して、本発明の実施の形態について説明する。図１は、本発明を適用した写真シール販売装置１の全体の構成を示す斜視図である。この写真シール販売装置１には、後述する撮影装置などがとりつけられた筐体１１が含まれており、筐体１１と写真シール販売装置１の後方（図中左側）の後方パネル４４との間の空間が、ユーザが写真（画像）を撮影する撮影空間２１とされる。撮影空間２１と、筐体１１を挟んで反対側に編集空間２２が設けられている。ユーザは、撮影空間２１に入って写真（画像）を撮影し、画像の撮影が終了すると、編集空間２２に移動して撮影空間２１で撮影された画像を編集する。
【００１８】
また、写真シール販売装置１の上部には、天井パネル４０と、天井枠５０ａおよび５０ｂが設けられており、撮影空間２１および編集空間２２のそれぞれに入ったユーザが外部から見えないように、カーテン４１および４２が、天井枠５０ａおよび天井枠５０ｂに沿って設けられている。
【００１９】
さらに、筐体１１の側面パネル４３上には、事後処理用モニタ６１およびシール取り出し口６２が設けられている。編集空間２２で編集された画像に基づいて生成された写真シールシートは、シール取り出し口６２から排出され、ユーザにより取得される。また、写真シールシートが排出されるまでの間、ユーザは、事後処理用モニタ６１に表示されるゲームなどを楽しんだり、アンケートなどに答えたりすることができる。
【００２０】
また、写真シール販売装置１の図中左側の後部パネル４４の上部には、ユーザの指令に基づいて設定される写真の背景に対応する背景カーテンが格納されている背景カーテン格納部８０が設けられている。
【００２１】
図２は、写真シール販売装置１を、図１の右側側面から見た図である。
【００２２】
天井パネル４０の内部には、ユーザを照射する蛍光灯などの照明装置と、撮影時に光を照射するストロボ５１が設けられている。天井パネル４０の下側の面４０ａは、斜め下方向に傾斜しており、ストロボ５１により照射される光を拡散させる、乳白色のアクリル板などの拡散板により構成される。
【００２３】
ユーザ２０は、撮影空間２１において、写真（画像）を撮影するとき、図中右方向を向いて立つ。そして、筐体１１に設けられた（図４を参照して後述する）操作パネル１５１を操作して、背景の設定を行う。写真の撮影に先立って、設定された背景に応じた背景カーテンが背景カーテン格納部８０から図中下方向に引き出される。
【００２４】
背景カーテン格納部８０は、例えば、第１格納部８１と第2格納部８２に分割され、それぞれ種類の異なる背景カーテンを格納し、図示せぬ背景駆動部により、背景カーテンを引き出し、または収納する。例えば、第1格納部８１には、柄のある背景カーテンが複数種類格納されており、第２格納部８２には、単色の背景カーテンが複数種類格納されている。この例では、設定された背景に対応する背景カーテン９１が第２格納部８２から引き出されている。背景カーテン９１は、撮影がおこなわれていないとき、例えば、ロール状に巻き上げられて第２格納部８２に格納されており、背景の設定が行われたことにより、図中下方向に引き出されている。
【００２５】
また、上述したように、ユーザ２０は、撮影空間２１で写真の撮影が終了した後、編集空間２２へ移動する。そして、編集台１８０に設けられた編集用モニタ（後述）を利用して画像の編集を行う。
【００２６】
図３は、写真シール販売装置１を図２の図中上方向から見た図である。同図に示されるように、編集台１８０には、撮影空間２１で撮影された画像が表示される編集用モニタ１８１−１および１８１−２が設けられている。
【００２７】
また、編集台１８０の筐体１１をはさんで背面（図２においては、側面パネル４３の裏側に位置する部分）、すなわち筐体１１に向かって撮影空間２１に立つユーザ２０の正面には、円形の横方向照明装置１２１、カメラなどからなる撮影装置１０１、下方向照明装置１１１、および反射板１４１が設けられている。横方向照明装置１２１は、被写体であるユーザ２０に、ユーザ２０の右側前方から光を照射し、下方向照明装置１１１は、被写体であるユーザ２０に下側から光を照射する。また、反射板１４１は、その表面が光を乱反射させる部材で構成され、横方向照明装置１２１、下方向照明装置１１１などから照射された光を乱反射させて、被写体であるユーザ２０に、ユーザ２０の左側前方から光を照射する。反射板１４１を構成する、例えば、光を乱反射させる部材としては、表面に凹凸のある金箔、つやけしを施した白板などが使用される。
【００２８】
このように、ユーザ２０の左側には、照明装置を設置せず、反射板１４１を設置するようにしたので、ユーザの左右にそれぞれ照明装置を設置する場合と比較して、写真シール販売装置１の製造コスト、消費電力などを抑制することができる。
【００２９】
また、筐体１１に向かって撮影空間２１に立つユーザ２０の斜め後方には、サイドストロボ７１−１および７１−２が設けられている。サイドストロボ７１−１および７１−２には、後述するように開口部を設けるように薄板を組んで光源を覆って照明を調整するルーバー（スリット）が設けられており、サイドストロボ７１−１および７１−２から照射される光は、それぞれ矢印７７−１および７７−２の方向へ向かう。これにより被写体であるユーザ２０には、自身の斜め後方から光を照射され、撮影空間２１においてユーザ２０の頭部（髪の毛など）が光った、きれいな画像を撮影することができる。
【００３０】
サイドストロボ７１−１および７１−２の後ろ側（図中左側）の面７３−１および７３−２は、それぞれ半透明の部材で構成されており、サイドストロボ７１−１および７１−２が発光したとき、光が後ろ（図中左方向）にも漏れるように構成されている。
【００３１】
なお、サイドストロボ７１−１および７１−２の詳細な構成については、図９を参照して後述する。
【００３２】
図３に示されるように撮影空間２１は、図中左右の方向に所定の奥行を持って構成される。撮影空間２１におけるＡ−Ａ線からＢ−Ｂ線までの間に立っているユーザ２０を、撮影装置１０１に内蔵されるカメラにより撮影することができる。この例では、ユーザ２０は、撮影空間２１の中で、Ａ−Ａ線とＣ−Ｃ線の間に立っている。このような場合、ユーザ２０には、横方向照明装置１２１、下方向照明装置１１１、反射板１４１、および後述するフロントストロボなどにより前方（図中右側）から充分な光が照射される。
【００３３】
しかし、例えば、ユーザ２０が、撮影空間２１において後ろ（図中左方向）に移動し、Ｃ−Ｃ線とＢ−Ｂ線の間に立っている場合、横方向照明装置１２１、下方向照明装置１１１、反射板１４１、および後述するフロントストロボなどからの距離が遠くなり、ユーザ２０に前方（図中右側）から充分な光を照射することができない。そこで、本発明においては、サイドストロボ７１−１および７１−２の後ろ側（図中左側）の面７３−１および７３−２を、それぞれ半透明の部材で構成する。このようにすることで、ユーザ２０が、撮影空間２１において後ろ（図中左方向）に移動しても、被写体であるユーザ２０には、サイドストロボ７１−１および７１−２の後ろ側の面７３−１および７３−２から漏れる光が当たるので、撮影されるユーザ２０の画像が暗くなることはなく、きれいな画像を撮影することができる。
【００３４】
また、上述した背景カーテン９１にも、サイドストロボ７１−１および７１−２の後ろ側の面７３−１および７３−２から漏れる光が当たるので、背景が明るくはっきりとした画像を撮影することができる。
【００３５】
さらに、後部パネル４４の両端部（図中左上と左下の部分）には、後方照明装置１３１−１および１３１−２が設けられており、被写体であるユーザ２０に後方から光を照射する。
【００３６】
写真シール販売装置１を利用するユーザ２０は、最初に矢印１３０ａに従って、撮影空間２１の図中右側の入り口から撮影空間２１に入り写真（画像）を撮影する。その後、ユーザ２０は、矢印１３０ｂに従って、撮影空間２１の図中左側の出口から撮影空間２１を出て、編集空間２２に入り、撮影された画像の編集を行う。そして、ユーザ２０は、編集空間２２から矢印１３０ｃに従って事後処理用モニタ６１の前へ移動し、事後処理用モニタ６１に表示されるGUI（graphical user interface）などに基づいて、出力される写真シールの分割数（シール枚数、レイアウトなど）を指定し、シール取り出し口６２から排出させる写真シールを受け取る。
【００３７】
図４は、図３におけるユーザ２０の位置から前方（図３中右側）を見た筐体１１の図である。同図に示されるように、ユーザの正面に撮影装置１０１が設置されており、その下側に下方向照明装置１１１が設けられている。下方向照明装置１１１は、上述したように、その上部１１１ａが斜め上向きに構成されており、ユーザ２０の斜め下側から光を照射するとともに、その下部１１１ｂは、床面と垂直になるように構成されており、ユーザ２０の下側（ユーザ２０の足元など）に光を照射する。下方向照明装置１１１の右側には、上述した操作パネル１５１が設けられている。
【００３８】
撮影装置１０１の内部には、CCDカメラなどにより構成され、ユーザの画像を撮影するカメラ１０２が設けられている。また、カメラ１０２の下側には、カメラ１０２により撮影された画像を表示する取り込み画像表示部１０３が設けられている。さらに、取り込み画像表示部１０３の両端にはスピーカ１０７−１および１０７−２が設けられている。
【００３９】
ユーザは、写真シール販売装置１で写真を撮影するとき、図中左下側に設けられた硬貨投入口１６１に所定の金額の硬貨を投入する。その後、ユーザは、スピーカ１０７−１および１０７−２から出力される音声、操作パネル１５１に表示された画像などに従って、操作パネル１５１を操作し、取り込み画像表示部１０３に表示される画像を見ながら写真を撮影する。操作パネル１５１は、タッチパネルとして構成され、必要に応じて、ユーザによる操作を受け付けるGUI（graphical user interface）、カメラ１０２により撮影された画像などが表示される。例えば、操作パネル１５１に撮影開始ボタンが表示された場合、ユーザは指で操作パネル１５１上の撮影開始ボタンの位置に触れることにより、撮影の開始を指令する。
【００４０】
撮影装置１０１の上側には、鏡面パネル１０６が設けられており、鏡面パネル１０６の上側には、黒色パネル１０５が設けられ、黒色パネル１０５の上側には、フロントストロボ１０４が設けられている。
【００４１】
フロントストロボ１０４は、ユーザの写真を撮影するとき発光し、被写体であるユーザに前方から光を照射する。鏡面パネル１０６は、表面が鏡で構成され、図６または図７を参照して後述するように、図中上方向に所定の角度をもつように取り付けられている。従って、フロントストロボ１０４から照射された光は、鏡面パネル１０６によって反射し、被写体であるユーザに前方やや下方向からさらに光を照射する。これにより撮影された画像においては、ユーザの目の中で、フロントストロボ１０４および鏡面パネル１０６により前方から照射された光が反射するいわゆるアイキャッチ効果を得ることができ、きれいな画像を撮影することができる。また、ユーザの目の中で反射する光は、黒色パネル１０５を挟んで上と下に位置するので、撮影された画像の中のユーザの目が上下の２点で輝く美しいアイキャッチ効果を得ることができる。
【００４２】
また、反射板１４１は、一部がミラー（鏡）１４２として構成されている。これにより光を反射する効果が高まるとともに、ユーザが写真を撮影中に外から他人にのぞかれることを抑制する。
【００４３】
図５は、筐体１１を編集空間２２に立ったユーザからみた図である。同図に示されるように、上述した編集用モニタ１８１−１および１８１−２とともに、タッチペン１８２−１および１８２−２が設けられている。この例では、2人のユーザが同時に編集を行うことができるように構成されており、ユーザは、それぞれタッチペン１８２−１および１８２−２を用いて、編集用モニタ１８１−１および１８１−２に表示された画像を、所望のサイズに拡大または縮小したり、文字や図形を書き加えたりして編集を行う。
【００４４】
編集台１８０の左右両端に設けられたスピーカ１８３−１および１８３−２から、編集方法、編集を続けられる残り時間などを告げる音声が出力される。
【００４５】
図６は、図４の中心付近（撮影装置１０１の付近）を拡大した図である。同図に示されるように、取り込み画像表示部１０３には、カメラ１０２により撮影されたユーザ２０の画像が表示されている。なお、取り込み画像表示部１０３に表示される画像は動画であっても静止画であってもよい。また、ユーザ２０が操作パネル１５１を操作して、背景の設定などを行っている場合、その背景に対応する色、模様、風景などがユーザ２０の画像と合成されて表示されるようにしてもよい。
【００４６】
図７は、フロントストロボ１０４と鏡面パネル１０６をやや右側から見た図である。同図に示されるように鏡面パネル１０６は、正面ではなく、やや上方向を向くように、すなわち、鏡面パネル１０６を正面から見た場合、その鏡面には鏡面パネル１０６の上側に位置する物体が写るように、所定の角度をつけられて取り付けられている。これにより上述したように、鏡面パネル１０６の上側に位置するフロントストロボ１０４から発せられた光が、鏡面パネル１０６に反射して、ユーザを前方から照射する。
【００４７】
図８は、図４の反射板１４１を拡大した図である。図３と図４を参照して上述したように、ユーザ２０の左側に位置する反射板１４１の一部はミラー（鏡）１４２として構成されているので、ユーザ２０は、撮影を行う前にミラー１４２に自分の姿を写して、服装や髪型の乱れなどを事前にチェックすることができる。また、ミラー１４２には、ユーザ２０の右側に位置するカーテン４１付近、すなわち撮影空間２１への入り口付近の光景が写りこむ。この例では、カーテン４１を開けて撮影空間２１の中をみている人１４３が、ミラー１４２に写り込んでいる。
【００４８】
ユーザは、写真シール販売装置１を利用して写真を撮影しているとき、撮影のためにポーズをとっていることが多く、このとき、例えばカーテン４１の隙間から他人にのぞかれるのはユーザに不快感を与えることになる。しかし、本発明の写真シール販売装置１においては反射板１４１の一部がミラー１４２とされているので、写真を撮影中に、外から撮影空間２１をのぞこうとすると、撮影空間２１の内部にいるユーザと、ミラー１４２を介して目があってしまい（自分がのぞいていることが撮影空間２１の内部にいるユーザに気づかれてしまい）、その結果、撮影中に撮影空間２１をのぞきづらくなる。
【００４９】
このように、反射板１４１の一部はミラー１４２として構成することにより、ユーザが写真を撮影中に他人から撮影空間２１の中をのぞかれることを抑制することができ、その結果、写真シール販売装置１を利用するユーザにとって快適な撮影空間２１を提供することができる。
【００５０】
図９は、図３を参照して上述したサイドストロボ７１−１の詳細な構成を説明する図である。同図に示されるように、サイドストロボ７１−１には、ルーバー７２−１乃至７２−３が設けられており、ルーバー７２−１乃至７２−３は、図３を参照して上述したように、サイドストロボ７１−１が発した光が、ユーザの斜め後ろ方向から照射されるように光の進む方向を制御する。
【００５１】
これにより、ユーザの後方から光を照射して、頭部（髪の毛など）が光った、きれいな画像を撮影することができるとともに、例えば、サイドストロボ７１−１から発せられた強い光がカメラ１０２のレンズに直接入射して乱反射することによりハレーションを起こすなどの事象を回避し、きれいな画像を提供することができる。
【００５２】
また、上述したように、サイドストロボ７１−１（を固定するカバー）の後ろ側の面７３−１は、半透明の部材で構成されており、サイドストロボ７１−１が発光したとき、光が後ろにも漏れるように構成されているので、ユーザが、サイドストロボ７１−１より後ろに立っている場合であっても、被写体であるユーザには充分な光が当たるので、撮影される画像が暗くなることはなく、きれいな画像を撮影することができる。さらに、上述した背景カーテン９１にも、サイドストロボ７１−１および７１−２の後ろ側の面７３−１および７３−２から漏れる光が当たるので、背景が明るくはっきりとした画像を撮影することができる。
【００５３】
なお、サイドストロボ７１−２もサイドストロボ７１−１と同様の構成である。
【００５４】
図１０は、写真シール販売装置１の内部の構成例を示すブロック図である。同図において、CPU（Central Processing Unit）２０１は、ROM（Read Only Memory）２０２に記憶されているプログラム、または、プログラム記憶部２０４からRAM（Random Access Memory）２０３にロードしたプログラムに従って写真シール販売装置１の全体の動作を、バス２５０を介して制御する。RAM２０３にはまた、CPU２０１が各種の処理を実行する上において必要なデータなどが適宜記憶される。
【００５５】
プログラム記憶部２０４は、ハードディスクやそのドライブからなり、CPU２０１が実行する様々なプログラムなどを記憶する。
【００５６】
ドライブ２３０は、フロッピディスクやハードディスクなどの磁気ディスク２３１、CD-ROM，DVDなどの光ディスク２３２、光磁気ディスク２３３、または半導体メモリ２３４などの記録媒体に記憶されているプログラムを読み出し、バス２５０を介してプログラム記憶部２０４などに供給する。例えば、ドライブ２３０からは、被写体の画像と合成する新たなフレーム画像などが供給される。
【００５７】
撮影装置１０１には、上述したカメラ１０２および取り込み画像表示部１０３の他に、カメラ制御部２０５が配置されている。カメラ制御部２０５は、ユーザが操作パネル１５１を操作することにより入力したカメラ１０２の調節要求に応じて、カメラ１０２のズーム率、取り込む光量などを制御する。
【００５８】
画像処理部２０６は、ユーザが撮影し、編集する画像として選択した画像について、背景などに応じて色合いなどの補正を行い、所定の枚数だけ記憶する。例えば、画像記憶部２０６は、編集対象画像を６枚まで記憶する。
【００５９】
硬貨処理部２０７は、硬貨投入口１６１から投入された硬貨をカウントし、画像の作成代金として予め設定されている所定の金額が投入されたと判定したとき、それをCPU２０１に通知する。
【００６０】
プリンタ２２１は、画像シールを作成する部分であり、カメラ１０２により撮影され、後述の編集処理などが施された後の画像をシール紙ユニット２１１から供給されるシール紙２１２などに印刷し、出力する。
【００６１】
IDタグリーダライタ２１０は、シール紙ユニット２１１に付されているIDタグ２１３からＩＤを読み取り、CPU２０１に通知する。CPU２０１は、IDタグリーダライタ２１０より通知されたIDを、予めROM２０２に記憶しているIDと照合することにより、シール紙ユニット２１１に収納されているシール紙２１２が、写真シール販売装置１が使用するシール紙として適当なシール紙であるか否かを判定し、写真シール販売装置１を使用可能、または使用不可能にする。
【００６２】
操作パネル１５１は、CPU２０１の制御に基づいて画像を表示するとともに、ユーザによる操作に基づいて所定の信号（コマンド）を生成し、バス２５０に出力する。
【００６３】
音声出力制御部２５１は、CPU２０１からの制御に基づいてスピーカ１０７−１または１０７−２を制御し、撮影方法などを説明する各種の音声ガイダンスや、例えば、静止画像を取り込むときのシャッター音などの効果音を出力する。また、音声出力制御部２６３は、スピーカ１８３−１または１８３−２を制御し、編集方法などを説明する各種の音声ガイダンスや、画像に書き込むときに発生される効果音などを出力する。このように、スピーカ１０７−１若しくは１０７−２またはスピーカ１８３−１若しくは１８３−２には、必要に応じてそれぞれ異なる音が出力される。
【００６４】
映像入出力制御部２６１は、撮影処理が終了し、ユーザが編集を開始するとき、画像処理部２０６からバス２５０を介して転送されてくる編集対象画像を内蔵するメモリ（図示せず）に記憶する。そして、映像入出力制御部２６１は、タッチパネル２６２において編集入力がされたとき、編集対象画像上における、その入力位置を検出し、編集対象画像に反映させて編集用モニタ１８１−１または１８１−２に表示させる。なお、図１０においては、編集用モニタ１８１−１または１８１−２とタッチパネル２６２は別の位置に示されているが、実際には積層して配置されている。
【００６５】
照明制御部２８１は、CPU２０１からの制御に基づいて、横方向照明装置１２１、下方向照明装置１１１、後方照明装置１３１−１または１３１−２、サイドストロボ７１−１または７１−２、フロントストロボ１０４などの各照明装置の発光を制御する。
【００６６】
事後処理制御部３０１は、CPU２０１の指令に基づいて、事後処理用モニタ６１にゲーム、アンケートなどの画面が表示されるように制御する。
【００６７】
背景制御部３２１は、操作パネル１５１から出力されるユーザの指令に対応するコマンドに基づいて、背景カーテンを選択し、背景カーテンを引き出し、または収納するように背景駆動部３２２を制御する。
【００６８】
次に、図１１と図１２のフローチャートを参照して、写真シール販売装置１の画像撮影処理について説明する。
【００６９】
最初にステップＳ１において、CPU２０１は、プログラム記憶部２０４に記憶されている、撮影の進行方法などのデモ画面を、操作パネル１５１上に表示させる。ステップＳ２においてCPU２０１は、硬貨処理部２０７からの信号をもとに、硬貨投入部１６１に所定の代金が投入されたか否かを判定し、投入されたと判定するまでデモ画面を表示して待機する。
【００７０】
ステップＳ２において、所定の代金が投入されたと判定された場合、CPU２０１は、ステップＳ３において、図１３を参照して後述する撮影準備処理を実行する。これにより、操作パネル１５１を介してユーザの指令が入力され、撮影する画像の背景の設定などが行われる。
【００７１】
ステップS３の処理の後、ステップＳ４において、ＣＰＵ２０１は、所定の時間が経過したか否か、または、ユーザにより操作パネル１５１上に表示された撮影開始ボタンが操作されたか否かを判定し、所定の時間が経過した、または、ユーザにより撮影開始ボタンが操作されたと判定するまで待機する。
【００７２】
ステップＳ４において所定の時間が経過した、または、ユーザにより撮影開始ボタンが操作されたと判定された場合、CPU２０１は、ステップＳ５に進み、操作パネル１５１上に、カウントダウンインジケータを表示させるとともに、スピーカ１０７−１および１０７−２からカウントダウンの音声を出力し、画像の撮影を行う。
【００７３】
図１２のステップＳ６において、CPU２０１は、画像処理部２０６を制御して、撮影した画像の補正を実行させる。このとき、例えば、ステップＳ３の処理で設定された画像の背景に対応して、予め設定された割合で被写体の色合いを変化させるなど、所定の補正が行われる。そして、ステップＳ６において、CPU２０１は、ステップS６で補正された画像を画像処理部２０６内のメモリに保存し、ステップS８において、操作パネル１５１上にその画像を表示する。
【００７４】
ステップＳ9において、CPU2０１は、残り撮影可能枚数が１枚以上あるか否かを判定し、残り撮影可能枚数が１枚以上あると判定した場合、ステップＳ１２に戻り、それ以降の処理を繰り返し実行する。
【００７５】
ステップＳ９において、残り撮影可能枚数が０枚であると判定された場合、CPU２０１は、ステップＳ１０に進み、編集空間２２において編集可能か否かを判定する。
【００７６】
例えば、他のユーザが編集空間２２を利用している場合、ステップS１０において、編集空間２２において編集可能ではないと判定され、処理はステップＳ１１に進む。ステップＳ１１において、CPU２０１は、操作パネル１５１に待機画面を表示させることにより、ユーザに待機を促す。
【００７７】
一方、ステップS１０において、編集空間２２において編集可能であると判定された場合、処理はステップS１２に進む。ステップS１２において、CPU２０１は、操作パネル１５１に編集空間２２への案内を表示させることにより、ユーザに対して編集空間２２への移動を促す。また、このとき編集空間へ案内する音声が、スピーカ１０７−１および１０７−２から出力される。
【００７８】
ステップS１２の処理の後、処理は、ステップS１に戻り、それ以降の処理が繰り返し実行される。
【００７９】
このようにして、写真シールのもととなる画像の撮影が行われる。
【００８０】
次に図１３のフローチャートを参照して、図１１のステップS３の撮影準備処理の詳細について説明する。
【００８１】
ステップS５１において、ＣＰＵ２０１は、操作パネル１５１を介して背景の設定受け付ける。このとき、操作パネル１５１上には、背景を選択するGUI（graphical user interface）が表示され、ユーザがGUIに基づいて背景を選択することにより、背景の設定が行われる。
【００８２】
ステップS５２において、CPU２０１は、設定の終了が指令されたか否かを判定し、設定の終了が指令されたと判定されるまで待機する。例えば、操作パネル１５１のGUIに基づいて、ユーザが所定のボタンなど操作することにより設定の終了が指令される。ステップS５２において、設定の終了が指令されたと判定された場合、撮影準備処理は終了される。
【００８３】
このようにして、撮影準備処理が行われることにより、撮影される画像の背景が設定される。ここで、設定された背景に対応して、背景制御部３２１が背景駆動部３２２を駆動させて、背景カーテン格納部８０から、所定の背景カーテンが引き出される。
【００８４】
なお、この例では、撮影準備処理において、背景の設定が行われる例について説明したが、撮影準備処理において、例えば、画像の色合いを表す撮影モードなどが設定されるようにしてもよい。
【００８５】
次に、図１４のフローチャートを参照して、写真シール販売装置１の編集処理について説明する。この処理は、撮影空間２１における撮影を終了したユーザが、編集空間２２において編集を行うときに実行される。
【００８６】
最初にステップＳ８１において、CPU２０１は、画像処理部２０６内に記憶（保存）された編集対象の画像を取得する。そしてCPU２０１は、ステップＳ８２に進み、映像入出力制御部２６１を介して、編集用モニタ１８１−１および１８１−２に、ステップS８１で取得した画像、編集機能ボタン、編集終了ボタンを含む編集画面を表示させ、ユーザがタッチペン１８２−１および１８２−２を操作して行われる編集入力の受け付けを開始する。ユーザは、表示された画像に対してタッチペン１８２−１および１８２−２を操作することにより、画像の編集を行う。
【００８７】
CPU２０１は、ステップＳ８３において、ユーザがタッチペン１８２−１および１８２−２を操作して入力した編集情報をリアルタイムに編集対象の画像に重ね合わせた編集画像を、映像入出力制御部２６１を介して、編集用モニタ１８１−１および１８１−２に表示させる。これにより、ユーザは、編集した画像を参照しながら、さらなる編集を行うことができる。
【００８８】
ステップＳ８４において、CPU２０１は、予め決められた所定の時間が経過したか否か、または、ユーザがタッチペン１８２−１または１８２−２を操作することにより、編集画面に表示された編集終了ボタンを操作されたか否かを判定し、所定の時間が経過した、または、編集終了ボタンが表示されたと判定するまで、編集画像を表示しながら待機する。
【００８９】
ユーザの操作により、所定の時間が経過した、または、編集終了ボタンが表示されたと判定した場合、CPU２０１は、ステップＳ８５に進み、編集用モニタ１８１−１および１８１−２に事後処理用モニタ６１への案内を表示させることにより、ユーザに対して事後処理用モニタ６１への移動を促す。また、このとき事後処理用モニタ６１へ案内する音声が、スピーカ１８３−１および１８３−２から出力される。
【００９０】
ステップＳ８５の処理の後、処理はステップＳ８６に進み、CPU２０１は、事後処理用モニタ６１に予め設定されたＧＵＩを表示して、写真シールの分割数の選択を受け付ける。このとき、ユーザにより、出力される写真シールのシール枚数（分割数）が事後処理用モニタ６１のＧＵＩを操作することにより選択される。
【００９１】
ステップＳ８７において、CPU２０１は、編集データである編集画像に基づいて、撮影された編集対象画像と編集画像を重畳し、印刷データを作成し、ステップＳ８８において、ステップS８６で選択された写真シールの分割数に基づいて、印刷データをプリンタ２２１によりシール紙２１２に印刷する。そして、ステップＳ８９において、CPU２０１は、印刷されたシール紙をシール取り出し口６２から排出させる。シールを排出させたCPU２０１は編集処理を終了する。
【００９２】
このように、編集空間にいるユーザに対して編集処理が行われる。
【００９３】
なお、上述した一連の処理をハードウェアで実現するか、ソフトウェアで実現するかは問わない。上述した一連の処理をソフトウェアにより実行させる場合には、そのソフトウェアを構成するプログラムが、コンピュータなどに、通信部を介して接続されるネットワークや光ディスク２３２などにより構成されるリムーバブル記録メディアからインストールされる。
【００９４】
また、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【００９５】
【図１】本発明を適用した写真シール販売装置の全体の構成例を示す斜視図である。
【図２】図１の写真シール販売装置を側面から見た図である。
【図３】図２の写真シール販売装置を上方から見た図である。
【図４】図３のユーザの位置から前方を見た図である。
【図５】図２の写真シール販売装置を編集区間に立ったユーザから見た図である。
【図６】図４の中心付近を拡大した図である。
【図７】図６の鏡面パネルをやや右側から見た図である。
【図８】図４の反射板１４１を拡大した図である。
【図９】図３のサイドストロボの詳細な構成を説明する図である。
【図１０】本発明を適用した写真シール販売装置の内部構成例を示すブロック図である。
【図１１】画像撮影処理を説明するフローチャートである。
【図１２】画像撮影処理を説明するフローチャートである。
【図１３】撮影準備処理を説明するフローチャートである。
【図１４】編集処理を説明するフローチャートである。
【符号の説明】
【００９６】
１  写真シール販売装置
１１  筐体
２１  撮影空間
２２  編集空間
７１−１，７１−２  サイドストロボ
７２−１，７２−２，７２−３  ルーバー
８０  背景カーテン格納部
８１  第１格納部
８２  第２格納部
９１  背景カーテン
１０１  撮影装置
１０２  カメラ
１０３  取り込み画像表示部
１０４  フロントストロボ
１０５  黒色パネル
１０６  鏡面パネル
１４１  反射板
１４２  ミラー
１５１  操作パネル
２０１  ＣＰＵ
２０４  プログラム記憶部
２０６  画像処理部
３２１  背景制御部
３２３  背景駆動部
【図１】
2005300870.tif 000003
【図２】
2005300870.tif 000004
【図３】
2005300870.tif 000005
【図４】
2005300870.tif 000006
【図５】
2005300870.tif 000007
【図６】
2005300870.tif 000008
【図７】
2005300870.tif 000009
【図８】
2005300870.tif 000010
【図９】
2005300870.tif 000011
【図１０】
2005300870.tif 000012
【図１１】
2005300870.tif 000013
【図１２】
2005300870.tif 000014
【図１３】
2005300870.tif 000015
【図１４】
2005300870.tif 000016